(57)【要約】【課題】光信号伝送用の光ファイバを他の光装置に接続する際の作業性の向上。【解決手段】第１，第２の光ファイバケーブルＡ，Ｂの接続端をケーブル把持器６で把持する。第１，第２の光ファイバケーブルＡ，Ｂの第１，第２のテープ心線接続端βＡ，βＢを第１の収納器９に一括収納する。両端部位が第１，第２のテープ心線接続端βＡ，βＢそれぞれに一括して融着接続可能に配置された連結用光ファイバ群１１を第２の収納器１０に収納する。連結用光ファイバ群１１の任意の光ファイバから光信号を分岐させて取り出す光分岐器１４を設ける。引き出し用光ファイバ１５の一端を光分岐器１４に光接続し、引き出し用光ファイバ１５の他端に光接続器１６を取り付ける。さらに、その一端には光接続器１６が接続される接続部８ａを、その他端には装置外部の光ファイバ接続器が接続されて光接続器１６に光接続される接続部８ａをそれぞれ有する接続中継器８を設ける。【選択図】  図１
2004354821.tif 000002
【特許請求の範囲】
【請求項１】
複数の光ファイバ心線が一体化されたテープ心線を有する第１，第２の光ファイバケーブルどうしを光接続するとともに、その光接続部位から光信号を分岐させて取り出す光伝送信号分岐装置であって、
前記第１の光ファイバケーブルの接続端と前記第２の光ファイバケーブルの接続端とをそれぞれ把持するケーブル把持器と、
前記第１の光ファイバケーブルの接続端から引き出される第１のテープ心線接続端と、前記第２の光ファイバケーブルの接続端から引き出される第２のテープ心線接続端とを一括収納する第１の収納器と、
前記第１のテープ心線接続端と前記第２のテープ心線接続端との間に設けられてこれらテープ心線接続端どうしを光的に連結する光ファイバから構成されるとともに、その両端部位が前記第１，第２のテープ心線接続端それぞれに一括して融着接続可能に配置された連結用光ファイバ群と、
前記連結用光ファイバ群を収納する第２の収納器と、
前記連結用光ファイバ群の任意の光ファイバに設けられて、この任意の光ファイバから光信号を分岐させて取り出す光分岐器と、
一端が前記光分岐器に光接続されるとともに、他端には光接続器が取り付けられた引き出し用光ファイバと、
一端には前記光接続器が接続される接続部が設けられ、他端には装置外部の光ファイバ接続器が接続される接続部が設けられ、これら両接続部に接続される前記光接続器と前記光ファイバ接続器とを互いに光接続する接続中継器と、
を備えることを特徴とする光伝送信号分岐装置。
【請求項２】
請求項１に記載の光伝送信号分岐装置において、
前記ケーブル把持器と前記第１の収納器と前記連結用光ファイバ群と前記第２の収納器と前記光分岐器と前記引き出し用光ファイバと前記接続中継器とを収納する筐体を備え、
前記筐体の側壁面に、前記ケーブル把持器と前記接続中継器とを設ける、
ことを特徴とする光伝送信号分岐装置。
【請求項３】
請求項２に記載の光伝送信号分岐装置において、
前記第１の収納器と前記第２の収納器とを前記筐体内で積層配置する、
ことを特徴とする光伝送信号分岐装置。
【請求項４】
請求項１ないし３のいずれかに記載の光伝送信号分岐装置において、
前記連結用光ファイバ群と前記光分岐器とを収納する平板状樹脂シートをさらに有する、
ことを特徴とする光伝送信号分岐装置。
【請求項５】
請求項１ないし４のいずれかに記載の光伝送信号分岐装置において、
前記連結用光ファイバ群のうちの少なくとも２本を中途部で分断し、その分断端部それぞれに、前記接続中継器の接続部に接続可能な光接続器を取り付ける、
ことを特徴とする光伝送信号分岐装置。
【請求項６】
複数の光ファイバ心線が一体化されたテープ心線を有する第１，第２の光ファイバケーブルどうしを光接続するとともに、その光接続部位から光信号を取り出す光伝送信号分岐装置であって、
前記第１の光ファイバケーブルの接続端と前記第２の光ファイバケーブルの接続端とをそれぞれ把持するケーブル把持器と、
前記第１の光ファイバケーブルの接続端から引き出される第１のテープ心線接続端と、前記第２の光ファイバケーブルの接続端から引き出される第２のテープ心線接続端とを一括収納する第１の収納器と、
前記第１のテープ心線接続端と前記第２のテープ心線接続端との間に設けられてこれらテープ心線接続端どうしを光的に連結する光ファイバから構成されるとともに、その両端部位が前記第１，第２のテープ心線接続端それぞれに一括して融着接続可能に配置される連結用光ファイバ群と、
前記連結用光ファイバ群を収納する第２の収納器と、
一端には前記光接続器が接続される接続部が設けられ、他端には装置外部の光ファイバ接続器が接続される接続部が設けられ、これら両接続部に接続される前記光接続器と前記光ファイバ接続器とを互いに光接続する接続中継器と、
を備え、
前記連結用光ファイバ群のうちの少なくとも２本を中途部で分断し、その分断端部それぞれに、前記接続中継器の接続部に接続可能な光接続器を取り付ける、
ことを特徴とする光伝送信号分岐装置。
【請求項７】
請求項６に記載の光伝送信号分岐装置において、
前記連結用光ファイバ群を収納する平板状樹脂シートをさらに有する、
ことを特徴とする光伝送信号分岐装置。
【発明の詳細な説明】
【０００１】
【発明の属する技術分野】
本発明は、光ファイバ配線システムに組み込まれる光伝送信号分岐装置に関する。
【０００２】
【従来の技術】
従来から、高層集合住宅において、各種放送信号やＩＰデータ信号を光信号にして各階に配信する場合、システム中央部において、各光信号が各階分に分配されたうえで、分配させた各光信号が光ファイバによって各階に向けて配送されるようになっている。（非特許文献１参照）
【０００３】
【非特許文献】
編集・発行（社）日本ＣＡＴＶ技術協会「ＨＦＣシステムの設計」ｐ１５，ｐ３０−ｐ３３
【０００４】
【発明が解決しようとする課題】
しかしながら、従来の光伝送信号の分配構造では、分配された各光信号を伝送する光ファイバを、各階等において他の光装置に光接続する際に、単一本ずつ融着接続しなければならず、その作業が面倒で作業効率が上がらないという課題があった。
【０００５】
【課題を解決するための手段】
上述した課題を達成するために本発明は、複数の光ファイバ心線が一体化されたテープ心線を有する第１，第２の光ファイバケーブルどうしを光接続するとともに、その光接続部位から光信号を分岐させて取り出す光伝送信号分岐装置であって、
・前記第１の光ファイバケーブルの接続端と前記第２の光ファイバケーブルの接続端とをそれぞれ把持するケーブル把持器と、
・前記第１の光ファイバケーブルの接続端から引き出される第１のテープ心線接続端と、前記第２の光ファイバケーブルの接続端から引き出される第２のテープ心線接続端とを一括収納する第１の収納器と、
・前記第１のテープ心線接続端と前記第２のテープ心線接続端との間に設けられてこれらテープ心線接続端どうしを光連結する光ファイバから構成されるとともに、その両端部位は前記第１，第２のテープ心線接続端それぞれに一括して融着接続可能に配置された連結用光ファイバ群と、
・前記連結用光ファイバ群を収納する第２の収納器と、
・前記連結用光ファイバ群の任意の光ファイバに設けられて、この任意の光ファイバから光信号を分岐させて取り出す光分岐器と、
・一端が前記光分岐器に光接続されるとともに、他端には光接続器が取り付けられた引き出し用光ファイバと、
・一端には前記光接続器が接続される接続部が設けられ、他端には装置外部の光ファイバ接続器が接続される接続部が設けられ、これら両接続部に接続される前記光接続器と前記光ファイバ接続器とを互いに光接続する接続中継器と、
を備える。
【０００６】
これにより、本発明では、第１のテープ心線接続端と第２のテープ心線接続端とに連結用光ファイバ群を接続する作業を、一括した融着接続作業により実施することが可能となる。そのため、第１のテープ心線と第２のテープ心線との間の接続作業が容易となる。
【０００７】
第１，第２のテープ心線接続端を第１の収納器に収納し、連結用光ファイバ群を第２の収納器に収納することで、これらの光ファイバ部品（第１，第２のテープ心線接続端と連結用光ファイバ群）の収納効率が向上する。
【０００８】
本発明は、前記ケーブル把持器と前記第１の収納器と前記連結用光ファイバ群と前記第２の収納器と前記光分岐器と前記引き出し用光ファイバと前記接続中継器とを収納する筐体を備え、前記筐体の側壁面に、前記ケーブル把持器と前記接続中継器とを設けるのが好ましい。そうすれば、装置構成を筐体内にまとめて収納することが可能となり、収納効率がさらに向上する。また、接続中継器を筐体側壁面に設けることで、接続中継器に対する光接続器や装置外部の光ファイバ接続器の接続作業が容易になる。
【０００９】
本発明は、前記第１の収納器と前記第２の収納器とを前記筐体内で積層配置するのが好ましい。そうすれば、収納効率がさらに向上して装置小型化が促進される。
【００１０】
本発明は、前記連結用光ファイバ群と前記光分岐器とを収納する平板状樹脂シートをさらに有するのが好ましい。そうすれば、連結用光ファイバ群と光分岐器との収納効率がさらに向上して装置小型化が促進される。また、連結用光ファイバ群と光分岐器との取り回しがしやすくなって、これら光部品の収納作業や光接続作業が容易となる。さらには、光分岐器を、前もって製造工場において連結用光ファイバ心線に接続して樹脂シートで挟持固定することができるため、光伝送信号分岐装置の設置作業現場で、光分岐器を接続する作業を全く行う必要がなくなる。したがって、その分、設置作業現場での作業が容易となる。
【００１１】
本発明は、前記連結用光ファイバ群のうちの少なくとも２本を中途部で分断し、その分断端部それぞれに前記接続中継器の接続部に接続可能な光接続器を取り付けるのが好ましい。そうすれば、第１，第２のテープ心線接続端まで伝送させた光信号を光分岐器による光分岐によることなく、そのままの光信号の状態で外部に引き出すことが可能となる。
【００１２】
本発明を構成する連結用光ファイバ群は、光分岐器を設けることなく、連結用光ファイバ心線の少なくとも２本を中途部で分断し、その分断端部それぞれに、前記接続中継器の接続部に接続可能な光接続器を取り付けるだけでもよく、その場合であっても、上述したのと同様の作用効果を奏することができる。
【００１３】
【発明の実施の形態】
図１は、本発明の一実施形態の光伝送信号分岐装置１の構成を示す平面図であり、図２はその正面図であり、図３はその側面図である。
【００１４】
光伝送信号分岐装置１は、複数の光ファイバ心線αが一体化されたテープ心線βを有する第１，第２の光ファイバケーブルＡ，Ｂどうしを光接続するとともに、その光接続部位から光信号を取り出す装置である。
【００１５】
光伝送信号分岐装置１は筐体２を備えている。筐体２は、その主面の大きさ（縦×横寸法）に比べて高さ寸法が比較的小さい扁平な形状を有している。筐体２は収納箱３と蓋箱４とを備える。これら箱３，４は、筐体２をその主面に沿って２つに分断した形状を有しており、その開放面を対向させた状態で蝶番５によって開閉自在に連結される。
【００１６】
収納箱３の一側壁面３ａおよびその近傍の収納箱３内にケーブル把持器６が設けられる。ケーブル把持器６は第１の光ファイバケーブルＡの接続端と第２の光ファイバケーブルＢの接続端とをそれぞれ把持するものであって、ケーブル把持部６ａとテンションメンバ把持部６ｂとを備える。ケーブル把持部６ａは第１，第２の光ファイバケーブルＡ，Ｂのケーブル外周部位を把持する。テンションメンバ把持部６ｂは、第１，第２の光ファイバケーブルＡ，Ｂ内にその長手方向に沿って収納されたテンションメンバ７を把持する。ケーブル把持部６ａは収納箱３の一側壁面３ａに接して設けられており、一側壁面３ａの蓋箱４に設けられた開口４ｂから挿入される第１，第２の光ファイバケーブルＡ，Ｂのケーブル外周を把持して筐体２に固定する構造となっている。テンションメンバ把持部６ｂは、ケーブル把持部６ａから若干離れて収納箱３内に設けられており、第１，第２の光ファイバケーブルＡ，Ｂの接続端から突出するテンションメンバ７の先端を把持して筐体２に固定する構造となっている。
【００１７】
収納箱３の一側壁面３ａに接続中継器８が設けられる。接続中継器８は、雄型光接続器に連結可能な複数対の雌型光接続部８ａ，８ａを有する。対の雌型光接続部８ａ，８ａどうしは、接続中継器８の両端それぞれに互いに対向した状態で配置される。対の雌型光接続部８ａ，８ａは、連結される雄型光接続器どうしを光接続可能に保持する構造となっている。接続中継器８は、対の雌型光接続部８ａ，８ａそれぞれを収納箱３の内外に向けた状態で一側壁面３ａに取り付けられる。接続中継器８を筐体３の一側壁面３ａに設けることで、接続中継器８に対する光接続器や装置外部の光ファイバ接続器の接続作業が容易になる。
【００１８】
収納箱３の内部に、第１の収納器９と第２の収納器１０とが収納配置される。これら収納器９，１０は、上端が開放された器本体９ａ，１０ａと、器本体９ａ，１０ａの上端開口を開閉自在に覆う蓋９ｂ，１０ｂとを備える。第１の収納器９と第２の収納器１０とは、その主面（上端開口面）の形状が同一となっており、互いに分離可能に積層一体化された状態で収納箱３内に収納固定される。第１の収納器９と第２の収納器１０とを積層配置することで、筐体２内での収納効率が向上して光伝送信号分岐装置１の小型化が促進される。
【００１９】
上側に積層配置される第１の収納器９に第１の光ファイバケーブルＡのテープ心線接続端βＡと、第２の光ファイバケーブルＢのテープ心線接続端βＢとが収納される。請求項における第１のテープ心線接続端はテープ心線接続端βＡに相当し、第２のテープ心線接続端はテープ心線接続端βＢに相当する。
【００２０】
テープ心線接続端βＡ，βＢは、第１，第２の光ファイバケーブルＡ，Ｂの接続端から延出されるテープ心線βから構成される。
【００２１】
テープ心線接続端βＡ，βＢは、互いに光接続されるファイバ部位であって、そのファイバ長は光接続作業における余裕長を含んで若干長く設定される。第１の収納器９は若干長いファイバ長に設定されるテープ心線接続端βＡ，βＢを収納する。第１の収納器９では、テープ心線接続端βＡ，βＢは巻回された状態で収納される。
【００２２】
下側に積層配置される第２の収納器１０に連結用光ファイバ群１１が収納される。連結用光ファイバ群１１は、テープ心線接続端βＡとテープ心線接続端βＢとを光接続する最に間に介在する短寸の光ファイバ群であって、図５（ａ）に示されるように、複数並列配置されるテープ心線接続端βＡ，βＢの心線数と同一心線数の連結用光ファイバ心線１２を有している。連結用光ファイバ心線１２は接着一体化される一対の平板状樹脂シート１３ａ，１３ｂの間に挟持される。連結用光ファイバ心線１２は、並列配置された状態で樹脂シート１３ａ，１３ｂ内に配置される。樹脂シート１３ａ，１３ｂの形状は、第２の収納器１０の形状に合わせて任意に設定可能であるが、図５（ａ）では、矩形状に成形される。
【００２３】
連結用光ファイバ心線１２の両端１２ａは、テープ心線接続端βＢ，βＢの配列ピッチと同一の配列ピッチで配置された状態で樹脂シート１３ａ，１３ｂによって固定されており、この状態で樹脂シート１３ａ，１３ｂから延出する。連結用光ファイバ群１１を樹脂シート１３ａ，１３ｂによって挟持保持することで、連結用光ファイバ群１１の収納効率が向上して小型化が促進される。なお、樹脂シート１３ａ，１３ｂは、樹脂シート１３ａ，１３ｂの矩形中央部から突出する連結用光ファイバ心線１２の両端１２ａを挟持する突出片１３ｃを備えている。
【００２４】
樹脂シート１３ａ，１３ｂから延出する連結用光ファイバ心線１２の先端１２ａは第２の収納器１０から延出し、第２収納器１０と第１の収納器９とに設けられた開口２０を介してテープ心線接続端βＡ，βＢの先端が収納される第１の収納器９に挿入される。連結用光ファイバ心線１２の先端１２ａは、第１の収納器９内において、テープ心線接続端βＡとテープ心線接続端βＢとにそれぞれ融着接続される。融着接続部位も第１の収納器９に収納される。このとき、連結用光ファイバ心線１２の両先端１２ａ，１２ａがテープ心線接続端βＡ，βＢの配列ピッチと同一の配列ピッチで配置されているために、その融着部位εの融着接続作業を既存のテープ心線融着接続装置を用いて容易に行うことができる。さらには、連結用光ファイバ心線１２の先端１２ａを第１の収納器９に挿入配置するために、融着接続作業を、第１の収納器９内だけで実施することができる。これにより、連結用光ファイバ心線１２が収納される第２の収納器１０を融着接続作業時に開放する必要がない。そのため、その分、作業がさらに容易となる。
【００２５】
また、テープ心線接続端βＡ，βＢを第１の収納器９に収納し、連結用光ファイバ群１１を第２の収納器１０に収納することで収納効率が向上し、光伝送信号分岐装置１の小型化が図れるとともに、テープ心線接続端βＡ，βＢや連結用光ファイバ群１１の引き回しが容易となる。
【００２６】
以上のようにして第１の光ファイバケーブルＡのテープ心線接続端βＡと第２の光ファイバケーブルＢのテープ心線接続端βＢとは、連結用光ファイバ群１１を介して光接続される。さらに、光伝送信号分岐装置１では、連結用光ファイバ群１１を介して光信号を次のように分岐取り出しする。
【００２７】
連結用光ファイバ群１１は、光信号の分岐取り出し形態に合わせて複数種のファイバ構造を設定可能である。以下、４心のテープ心線βからなるテープ心線接続端βＡ，βＢに対応した場合を例にして説明するが、８心等、他の心線数を有するテープ心線βの構造においても同様に各種設定できる。
【００２８】
光信号による伝送形態としては、例えば、テレビジョン放送の映像信号（以下、単に放送データという）を光信号に重畳させて伝送する形態と、パーソナルコンピュータ情報伝送形態の一つであるＩＰデータを光信号に重畳させて逆伝送する形態とがある。
【００２９】
放送データの伝送には、図４（ａ）に示されるように、
・その放送形態（地上波放送、衛星放送（ＢＳ）、通信衛星放送（ＣＳ）等）毎に、１本の光ファイバ心線αを設ける、
・信号は、並列配置された各末端伝送先γに分岐されて伝送される。
・一方向伝送形態となり、末端伝送先γからのデータを受け取って伝送する必要はない
という特徴がある。
【００３０】
これに対して、ＩＰデータの伝送には、図４（ｂ）に示されるように、
・伝送ルートは基本的に１系統だけでよい、
・信号は、直列配置された各末端伝送先γを介して順次伝送される、
・ＩＰデータ発信元から末端伝送先γにＩＰデータを送り届けた（下り伝送した）うえで、末端伝送先から発せられるＩＰデータを受け取ってＩＰデータ発信元に送り返す（上がり伝送する）双方向伝送形態となり、下り送信（ＩＰデータ発信元→末端伝送先）用と上がり送信（末端伝送先→ＩＰデータ発信元）用とに、計２本の光ファイバ心線αが必要となる、
という特徴がある。
【００３１】
そのため、放送データの光伝送には次の構成が必要となる。まず、伝送する放送データ毎に光ファイバ心線αを設ける。さらには、末端伝送先γがある伝送位置に設けられた連結用光ファイバ群１１において、放送データを伝送する連結用光ファイバ心線１２に光分岐器（光カプラ）を接続して放送データを分岐させて取り出して末端伝送先に供給する。
【００３２】
ＩＰデータの伝送には次の構成が必要となる。まず、下り送信用の光ファイバ心線αと、上がり送信用の光ファイバ心線αという２本の光ファイバ心線αを設定する。さらには、末端伝送先γがある伝送位置に設けられた連結用光ファイバ群１１において、ＩＰデータを伝送する２本の連結用光ファイバ心線１２それぞれを分断する。そして、分断により形成される計４つの連結用光ファイバ心線１２の分断端部を引き出して末端伝送先側の光ファイバ心線に接続する。
【００３３】
図５（ａ）に示される連結用光ファイバ群１１の構成は、４心のテープ心線βで、放送データを伝送する場合において、光伝送信号分岐装置１で連結用光ファイバ群１１から２系統の放送データを分岐して取り出す構成である。
【００３４】
この場合、連結用光ファイバ群１１のうちの２本の連結用光ファイバ心線１２１，１２２に光分岐器（光カプラ）１４が設けられる。光分岐器１４には、引き出し用光ファイバ１５が接続される。光分岐器１４は、連結用光ファイバ心線１２１，１２２から光信号を分岐させて引き出し用光ファイバ１５に伝送させる機能を発揮する。光分岐器１４は連結用光ファイバ群１１とともに樹脂シート１３ａ，１３ｂによって挟持保持される。
【００３５】
引き出し用光ファイバ１５の先端には光接続器１６が取り付けられる。光接続器１６は、接続中継器８の雌型光接続部８ａに接続可能な構成となっており、筐体２内側に位置する雌型光接続部８ａに接続される。筐体２外側に位置する雌型光接続部８ａには、末端伝送先に光信号を伝送する伝送用光ファイバの先端に取り付けられる光接続器（図示省略）が接続される。これにより、連結用光ファイバ群１１から２系統の放送データが分岐されて末端伝送先に伝送される。
【００３６】
光分岐器１４の分岐比率は、連結用光ファイバ心線１２１，１２２と引き出し用光ファイバ１５との溶融接続部位における光ファイバの延伸率を調整することで任意に設定することができる。
【００３７】
図５（ｂ）に示される連結用光ファイバ群１１の構成は、４心のテープ心線βで、放送データとＩＰデータとを伝送する場合において、光伝送信号分岐装置１で連結用光ファイバ群１１から２系統の放送データを分岐して取り出すとともに、連結用光ファイバ群１１からＩＰデータを引き出す構成である。
【００３８】
この場合、連結用光ファイバ群１１のうちの２本の連結用光ファイバ１１１，１１２に光分岐器（光カプラ）１４が接続される。光分岐器１４には、引き出し用光ファイバ１５が接続される。引き出し用光ファイバ１５（先端を除く）と光分岐器１４とは連結用光ファイバ群１１とともに樹脂シート１３ａ，１３ｂによって挟持保持される。引き出し用光ファイバ１５の先端には光接続器１６が取り付けられる。
【００３９】
光接続器１６は、接続中継器８の雌型光接続部８ａに接続可能な構成となっており、筐体２内側に位置する雌型光接続部８ａに接続される。
【００４０】
さらには連結用光ファイバ群１１のうちの他の２本の連結用光ファイバ心線１１２３，１２４がその中途部で分断され、分断により形成される計４本の分断端部１２ａ，１２ｂ，１２ｃ，１２ｄが樹脂シート１３ａ，１３ｂから引き出される。分断端部１２ａ，１２ｂ，１２ｃ，１２ｄの先端には光接続器１７が取り付けられる。光接続器１７は、接続中継器８の雌型光接続部８ａに接続可能な構成となっており、筐体２内側に位置する雌型光接続部８ａに接続される。
【００４１】
これにより、連結用光ファイバ群１１から２系統の放送データを取り出して末端伝送先に伝送することが可能となるとともに、連結用光ファイバ群１１を介して末端伝送先との間で、ＩＰデータの相互通信が可能となる。
【００４２】
図５（ｃ）に示される連結用光ファイバ群１１の構成は、４心のテープ心線βで、ＩＰデータを伝送する場合において、光伝送信号分岐装置１で連結用光ファイバ群１１からＩＰデータを引き出す構成である。
【００４３】
この場合、連結用光ファイバ群１１のうちの２本の連結用光ファイバ心線１２３，１２４がその中途部で分断され、分断により形成される計４本の分断端部１２ａ，１２ｂ，１２ｃ，１２ｄが樹脂シート１３ａ，１３ｂから引き出される。分断端部１２ａ，１２ｂ，１２ｃ，１２ｄの先端に光接続器１７が取り付けられる。光接続器１７は、接続中継器８の雌型光接続部８ａに接続可能な構成となっており、筐体２内側に位置する雌型光接続部８ａに接続される。これにより、連結用光ファイバ群１１を介して末端伝送先との間で、ＩＰデータの相互通信が可能となる。
【００４４】
なお、図５（ａ），図５（ｃ）の構成では、４本の連結用光ファイバ心線αのうちの２本は、光伝送信号分岐装置１において引き出されない。残余の２本の光ファイバ心線αは、例えば次のように規定することができる。すなわち、残余の２本の光ファイバ心線αは他の信号（他の放送データやＩＰデータ等）が伝送されるものの、その光伝送信号分岐装置１の設置位置には末端伝送先がなく引き出す必要がないと規定できる。
【００４５】
【発明の効果】
以上説明したように、本発明によれば、分配された各光信号を伝送する光ファイバを、他の光装置に光接続する際に、複数本を一度に融着接続することができ、その作業が容易となって、作業効率が上がる。
【図面の簡単な説明】
【図１】本発明の一実施形態の光伝送信号分岐装置の構造を示す一部切欠平面図。
【図２】実施の形態の光伝送信号分岐装置の構造を示す一部切欠正面図。
【図３】実施の形態の光伝送信号分岐装置の構造を示す一部切欠側面図。
【図４】末端伝送先に対する伝送形態をそれぞれ示す図。
【図５】連結用光ファイバ群の配置例をそれぞれ示す図。
【符号の説明】
α  光ファイバ心線              β  テープ心線
Ａ  第１の光ファイバケーブル    Ｂ  第２の光ファイバケーブル
βＡ  テープ心線接続端          βＢ  テープ心線接続端
１  光伝送信号分岐装置          ２  筐体
６  ケーブル把持器                ６ａ  ケーブル把持部
６ｂ  テンションメンバ把持部    ７  テンションメンバ
８  接続中継器                  ８ａ  雌型光接続部
９  第１の収納器                １０  第２の収納器
１１  連結用光ファイバ群          １２  連結用光ファイバ心線
１３ａ，１３ｂ  樹脂シート                １４  光分岐器
１５  引き出し用光ファイバ      １６  光接続器
１７  光接続器
【図１】
2004354821.tif 000003
【図２】
2004354821.tif 000004
【図３】
2004354821.tif 000005
【図４】
2004354821.tif 000006
【図５】
2004354821.tif 000007